(57)【要約】【課題】ネットワークに接続された録画装置間で録画の代行を行う方法がすでに提案されている。しかし、実際に録画を行う装置が故障などにより録画不可能となった場合、ネットワークによる他機への通知も不可能な場合があり、結果的に録画に失敗するという課題がある。【解決手段】録画を行う他機からの通信が途絶えた事を検知した場合、予め入手しておいた他機の録画予約情報に従って、他機からの録画依頼を受ける事無く、自動的に録画を代行するものである。さらに、録画代行後、他機との通信が復帰した際に、代行録画したデータが、実際は他機で録画されていた場合は、自機の録画データを自動的に削除する。【選択図】図２
2008092502.tif 000002
【特許請求の範囲】
【請求項１】
自機録画予約情報を記憶する自機録画予約情報記憶手段と、自機録画予約情報を他機に対して出力する自機録画予約情報出力手段と、他機録画予約情報を記憶する他機録画予約情報記憶手段と、他機録画予約情報に含まれる他機での録画の開始時刻情報を基に、他機での録画が開始される時刻に近づいた事を判定し、他機録画開始時刻判定信号として出力する他機録画開始時刻判定手段と、他機録画開始時刻判定信号を入力すると他機との通信が可能かどうかを検知し、通信が不可能な場合に他機通信不可信号を出力する他機通信可否検知手段と、他機通信不可信号を入力すると、前記他機録画予約情報記憶手段により記憶された他機録画予約情報と前記自機録画予約情報記憶手段により記憶された自機録画予約情報とを取得して比較し、他機録画開始時刻判定信号が出力される元となった他機録画予約情報の録画時間が自機録画予約情報に含まれるすべての録画予約のどれとも重ならない場合に録画可能判定信号を出力する録画可否判定手段と、録画可能判定信号を入力すると前記他機録画開始時刻判定信号が出力される元となった他機録画予約情報に基づいて録画を代行する録画手段と、前記録画手段によって録画された録画情報を記憶する録画情報記憶手段とを備える事を特徴とする映像録画装置。
【請求項２】
自機記録情報を他機に出力する自機録画情報出力手段と、他機通信可能信号を入力すると、他機の録画情報を入力し、他機録画情報として出力する他機録画情報入力手段と、他機録画情報内に自機で代行録画した録画情報が含まれている場合に自機録画情報削除信号を出力する自機録画情報削除判定手段とをさらに備え、前記録画情報記憶手段は、自機の録画情報を記憶し、自機記録情報として出力し、前記他機通信可否検知手段は、他機との通信が可能な場合に他機通信可能信号を出力し、前記録画情報記憶手段は、自機録画情報削除信号を入力すると、指定された録画情報を削除することを特徴とする、請求項１の映像記憶装置。
【発明の詳細な説明】
【技術分野】
【０００１】
本発明は、ネットワークで相互に接続された映像録画装置に関するものである。
【背景技術】
【０００２】
映像の録画、および、再生が可能な装置として、ＤＶＤ（Ｄｉｇｉｔａｌ  Ｖｅｒｓａｔｉｌｅ  Ｄｉｓｃ）レコーダーやハードディスクレコーダーなどがあるが、近年、このような専用機の他に、パーソナルコンピューターでもテレビチューナーを搭載して映像の録画、再生が可能となり、１家庭において、複数台の映像録画装置を持つ事が珍しくなくなった。
【０００３】
しかし、まだ一般的には、個々の装置において独立して映像ができるだけであり、複数の録画装置が協調して録画処理を補う事ができる安価な製品はない。
【０００４】
これに対して、複数の録画装置で協調して録画を行う方法として、特許文献１では、
ネットワーク接続された複数の映像録画装置間で、録画の代行を行うシステムが提案されており、例えば、第１の映像録画装置で録画予約が登録され、かつ、その録画時間が既存の録画予約の時間と重複する場合に、第１の映像録画装置とネットワーク接続された第２の映像録画装置に録画代行を依頼する事ができる。
【０００５】
また、特許文献２においては、ユーザーが映像録画装置の電源（主電源）を切ってしまった際の予約録画を保護する方法として、電源の切断要求に基づいてネットワークに接続された他の機器に予約録画の代行を依頼する事が提案されている。
【特許文献１】特開２００５−３３３５３４号公報
【特許文献２】特開２００５−３５４５９９号公報
【発明の開示】
【発明が解決しようとする課題】
【０００６】
しかしながら、例えば、録画予約が登録された映像録画装置が故障などにより、ネットワークによる通信も含めて処理が続行できなくなった場合、特許文献１および特許文献２の方法では、ネットワーク接続された他の映像録画装置への予約録画の代行要求を行う事ができず、録画が失敗する。これは、録画の代行を実行する側の装置が、録画の代行を要求する側の装置からの録画代行要求通知を受動的に待っているからである。
【課題を解決するための手段】
【０００７】
上記の課題を解決するために、本発明における映像録画装置は、自機録画予約情報を記憶する自機録画予約情報記憶手段と、自機録画予約情報を他機に対して出力する自機録画予約情報出力手段と、他機録画予約情報を記憶する他機録画予約情報記憶手段と、他機録画予約情報に含まれる他機での録画の開始時刻情報を基に、他機での録画が開始される時刻に近づいた事を判定し、他機録画開始時刻判定信号として出力する他機録画開始時刻判定手段と、他機録画開始時刻判定信号を入力すると他機との通信が可能かどうかを検知し、通信が不可能な場合に他機通信不可信号を出力する他機通信可否検知手段と、他機通信不可信号を入力すると、前記他機録画予約情報記憶手段により記憶された他機録画予約情報と前記自機録画予約情報記憶手段により記憶された自機録画予約情報とを取得して比較し、他機録画開始時刻判定信号が出力される元となった他機録画予約情報の録画時間が自機録画予約情報に含まれるすべての録画予約のどれとも重ならない場合に録画可能判定信号を出力する録画可否判定手段と、録画可能判定信号を入力すると前記他機録画開始時刻判定信号が出力される元となった他機録画予約情報に基づいて録画を代行する録画手段と、前記録画手段によって録画された録画情報を記憶する録画情報記憶手段とを備える事を特徴とする。
【０００８】
さらに、自機記録情報を他機に出力する自機録画情報出力手段と、他機通信可能信号を入力すると、他機の録画情報を入力し、他機録画情報として出力する他機録画情報入力手段と、他機録画情報内に自機で代行録画した録画情報が含まれている場合に自機録画情報削除信号を出力する自機録画情報削除判定手段とをさらに備え、前記録画情報記憶手段は、自機の録画情報を記憶し、自機記録情報として出力し、前記他機通信可否検知手段は、他機との通信が可能な場合に他機通信可能信号を出力し、前記録画情報記憶手段は、自機録画情報削除信号を入力すると、指定された録画情報を削除することを特徴とする。
【発明の効果】
【０００９】
本発明によれば、第１の映像録画装置が故障した場合であっても、その第１の映像録画装置で録画予約登録された映像は、ネットワーク接続された第２の映像録画装置によって能動的に録画が代行されるため、録画失敗の可能性が減少する。
【００１０】
また、第２の映像録画装置は故障しておらず、正常に予約録画ができるにもかかわらず、ネットワーク機器などの故障で通信が不可能になる事により、間違って第１の映像録画装置により予約録画が代行された場合でも、ネットワーク機器の復旧に伴って相互の映像録画装置の通信が可能になった時に、重複する録画情報を第１の映像録画装置から自動的に削除するため、第１の映像録画装置の残り録画可能容量を浪費する事もない。
【発明を実施するための最良の形態】
【００１１】
（実施の形態）
図１は本発明における映像録画装置がネットワークに接続されている映像録画システムを表すものである。第１の映像録画装置１０１および第２の映像録画装置１０２はそれぞれネットワーク１０３で接続されている。ここで、ネットワーク１０３は、例えば、イーサーネットによるＬＡＮ（Ｌｏｃａｌ  Ａｒｅａ  Ｎｅｔｗｏｒｋ）でも良いし、ＩＥＥＥ１３９４によるネットワークでも良い。また、有線であっても良いし、無線であっても良く、第１の映像録画装置１０１と第２の映像録画装置１０２とが相互に情報の送受信ができればその方法は問わない。また、図１ではネットワークに接続されている映像録画装置は２台であるが、第３の映像録画装置、第４の映像録画装置、それ以上の映像録画装置が接続されていても構わない。
【００１２】
図２は、本発明の実施の形態における、第１の映像記録装置１０１および第２の映像録画装置１０２の構成図である。以下、図２を用いて説明する。その際、便宜上、図１における第１の映像録画装置１０１を動作の主体である「自機」とし、第２の映像録画装置１０２を「他機」として説明する。しかし、第１の映像録画装置１０１と第２の映像録画装置１０２とを入れ替えても同じである。
【００１３】
第１の映像録画装置１０１は、例えば、使用者による録画予約入力手段というような自機録画予約情報入力手段２０１により、自機での録画予約の入力が行われると、その情報を自機録画予約情報として自機録画予約情報記憶手段２０２に記憶する。さらに、自機録画予約情報は、自機録画予約情報出力手段２０３により、ネットワークに接続された他機に出力する。つまり、図１の映像録画システムにおいては、第１の映像録画装置１０１から第２の映像録画装置１０２へ、第１の映像録画装置１０１の録画予約情報が送られる事になる。
【００１４】
また一方で、第１の映像録画装置１０１は、第２の映像録画装置１０２における録画予約情報である他機録画予約情報を、ネットワークに接続された第２の映像録画装置１０２から他機録画予約情報入力手段２０４によって入力し、その他機録画予約情報を他機録画予約情報記憶手段２０５により記憶する。
【００１５】
ここで、他機録画予約情報は、例えば図３のように、録画機識別情報、録画チャンネル、録画開始時刻、録画終了時刻および録画画質を含んでいる。なお、これらの情報が直接他機録画予約情報に含まれている必要はない。例えば、録画終了時刻は、録画を開始してから停止するまでの時間であっても良いし、また、例えば、録画チャンネル、録画開始時刻および録画終了時刻の代わりに、これらを導き出すことのできる、録画番組を表す特定の識別子であっても良い。さらに極端には、図３で示した各情報が１つの識別情報にまとめられていても良く、つまりは、図３で示したうち、少なくとも、録画機識別情報、録画チャンネル、録画開始時刻および録画終了時刻が導き出せれば、他機録画予約情報の形態は問わない。
【００１６】
他機録画開始時刻判定手段２１０は、他機録画予約情報記憶手段２０５に記憶された他機録画予約情報のうち、第２の映像録画装置１０２での録画開始時刻情報を他機録画開始時刻情報として入力し、第２の映像録画装置１０２での録画開始時刻に近づいた時に他機録画開始判定信号を出力する。
【００１７】
他機通信可否検知手段２１１は、他機録画開始時刻判定信号を入力すると、第２の映像録画装置１０２との通信が可能であるかどうかを確認し、通信が不可能である場合、第２の映像録画装置１０２で何らかの不具合が生じ、第２の映像録画装置１０２で予約された録画を第２の映像録画装置１０２で実行する事が不可能であると判断して、他機通信不可信号を出力する。
【００１８】
録画可否判定手段２０６は、他機通信不可信号を入力すると、他機録画予約情報記憶手段２０５に記憶された他機録画予約情報と自機録画予約情報記憶手段２０２に記憶された自機録画予約情報とを比較し、該当する他機録画予約情報の録画時間が、自機録画予約情報内のすべての録画時間と重ならないかどうかを判定する。もし、重なる場合は、自機、つまり、第１の映像録画装置１０１での録画を優先し、他機、つまり、第２の映像録画装置１０２での録画予約は行われない。一方、録画時間が重ならない場合、録画可能判定信号を録画手段２０７に出力する。録画可能信号を入力した録画手段２０７は、該当する他機録画予約情報に従って録画を代行し、その代行した録画情報は録画情報記憶手段２０８によって記憶される。なお、図２では示していないが、録画情報記憶手段２０８には自機での録画も記憶され、その自機録画情報は自機録画情報出力手段２０９によって他機へ出力される。
【００１９】
その後、他機通信可否検知手段２１１により第２の映像録画装置１０２との通信が可能になった事が確認されると、他機通信可否検知手段２１１から他機通信可能信号が出力される。他機録画情報入力手段２１２は、他機通信可能信号を入力すると、第２の映像録画装置１０２に問い合わせて第２の映像録画装置１０２の録画情報を入力し、他機録画情報として代行録画情報削除判定手段２１３に出力する。
【００２０】
代行録画情報削除判定手段２１３は、第１の映像録画装置１０１で代行した録画情報が第２の映像録画装置１０２から得られた他機録画情報に含まれていた場合、録画情報記憶手段２０８に対して代行録画情報削除信号を出力する。代行録画情報削除信号を受け取った録画情報記憶手段２０８は、該当する録画情報を削除する。
【産業上の利用可能性】
【００２１】
本発明の映像録画装置は、映像録画装置が故障した場合であっても、その映像録画装置で録画予約登録された映像は、ネットワーク接続された他の映像録画装置によって能動的に録画が代行されるため、録画失敗の可能性が減少する。
【００２２】
また、ネットワーク機器の故障により間違って予約録画が代行された場合でも、ネットワーク機器の復旧に伴って相互の映像録画装置の通信が可能になった時に、重複する録画情報を自動的に削除するため、録画装置の残り録画可能容量を浪費する事もない。
【図面の簡単な説明】
【００２３】
【図１】本発明における映像録画装置のネットワーク接続例を表した図
【図２】本発明の実施の形態における映像録画装置の構成例を示すブロック図
【図３】本発明の実施の形態における他機録画予約情報の構成例を示す図
【符号の説明】
【００２４】
１０１    第１の映像録画装置
１０２    第２の映像録画装置
１０３    ネットワーク
２０１    自機録画予約情報入力手段
２０２    自機録画予約情報記憶手段
２０３    自機録画予約情報出力手段
２０４    他機録画予約情報入力手段
２０５    他機録画予約情報記憶手段
２０６    録画可否判定手段
２０７    録画手段
２０８    録画情報記憶手段
２０９    自機録画情報出力手段
２１０    他機録画開始時刻判定手段
２１１    他機通信可否検知手段
２１２    他機録画情報入力手段
２１３    代行録画情報削除判定手段
【図１】
2008092502.tif 000003
【図２】
2008092502.tif 000004
【図３】
2008092502.tif 000005